(57)【要約】【課題】撮影できる範囲一杯に、更にはそれをはみ出す構図で撮影し、立体映像として表示装置に表示して観察したときの、被写体の中心部と周辺部との違和感を低減し、立体映像の長時間の観察においける観察者の疲労を軽減する。【解決手段】非融像領域算出手段１０９は、撮影時に検出した被写体距離において左右それぞれの映像信号の一部である非融像となる映像領域を、撮影情報記憶手段１０６が出力する画角情報と基線長情報と輻輳距離情報とによって算出する。変更処理手段１１０は、映像信号出力手段１０８が出力する第２の映像信号の一部分である非融像領域算出手段１０９が算出した映像領域の映像信号の高域周波数を除去する変更処理を行う。これにより、動画撮影手段１０１及び１０２のうち、一方の動画撮影手段のみに映し出される被写体の他の一部が、表示装置の表示画面の位置に在るように見えてしまう不具合を低減する。【選択図】図１
2012114680.tif 000002
【特許請求の範囲】
【請求項１】
被写体をそれぞれ撮影して、立体映像信号を構成する左目用映像信号と右目用映像信号からなる第１の映像信号を出力する第１及び第２の動画撮影手段と、
輻輳距離にある被写体の領域を共通の領域とする前記第１及び第２の動画撮影手段の撮影領域の画角を設定する画角設定手段と、
前記画角設定手段により設定された画角と基線長と輻輳距離の情報を記憶し、画角情報と基線長情報と輻輳距離情報を出力する撮影情報記憶手段と、
前記撮影情報記憶手段が記憶する前記基線長情報及び輻輳距離情報に基づいて、前記第１及び第２の動画撮影手段からの輻輳点を設定する輻輳点設定手段と、
前記第１及び第２の動画撮影手段が出力する前記第１の映像信号から前記画角設定手段により設定された画角の撮影領域に関連する第２の映像信号を生成して出力する映像信号出力手段と、
前記被写体までの距離を検出して被写体距離情報を出力する被写体距離検出手段と、
前記撮影情報記憶手段が記憶する前記輻輳距離情報と被写体距離情報と画角情報と基線長情報とから、前記第１及び第２の動画撮影手段が前記被写体距離検出手段で検出された被写体距離では共通して撮影しない映像信号の非融像領域を算出する非融像領域算出手段と、
前記第２の映像信号が入力され、その第２の映像信号のうち前記非融像領域算出手段により算出された前記非融像領域における映像信号部分の画質を低下させる変更処理を行う変更処理手段と
を備えることを特徴とする立体映像撮影装置。
【請求項２】
前記変更処理手段は、前記第２の映像信号の非融像領域の映像信号部分の所定周波数以上の高域周波数の除去処理、色度レベルの低下処理、輝度レベルの低下処理、及び信号レベルの低下処理のうちのいずれか一の処理を行うことを特徴とする請求項１記載の立体映像撮影装置。
【発明の詳細な説明】
【技術分野】
【０００１】
本発明は立体映像撮影装置に係り、特に２つの動画撮影手段により立体映像を構成する２つの映像を撮影する立体映像撮影装置に関する。
【背景技術】
【０００２】
従来の立体映像を撮影するための立体映像撮影装置は、人の左目と右目であるがごとくの位置と向きにて配置した左目用動画撮影手段及び右目用動画撮影手段により被写体を撮影し、左目用動画撮影手段で撮影した映像を左目のみで、また右目用動画撮影手段で撮影した映像を右目のみで観察できるように表示装置に映し出すための映像信号を出力するものであった。
【０００３】
一方で、左目用と右目用の２つの動画撮影手段の光軸を平行とし、かつ、画角を等しく設定した状態で撮影した映像信号には、例えば輻輳点の被写体距離（輻輳距離）においてもそれぞれの撮影領域には、動画撮影手段の光軸間隔に相当する基線長の長さ分の領域が共通しない領域となり、この共通しない領域の映像は立体映像として観察者が認識し得ないためデータを捨てることが望ましいとされている（例えば、非特許文献１参照）。
【先行技術文献】
【非特許文献】
【０００４】
【非特許文献１】３Ｄコンソーシアム安全ガイドライン部会、「人に優しい３Ｄ普及のための３ＤＣ安全ガイドライン」、２００８年１２月１０日改訂版  ３６ページ
【発明の概要】
【発明が解決しようとする課題】
【０００５】
図８に示すように座標(a,b)と座標(c,d)に位置する動画撮影手段で座標(e,f)の被写体を撮影し、図９（Ａ）、（Ｂ）に示すように座標(g,0)の表示装置１に、座標(a,b)の動画撮影手段で撮影した被写体像を座標(g,i)に映し、座標(c,d)の動画撮影手段で撮影した被写体像を座標(g,h)に映したものとする。
【０００６】
そして、図９（Ａ）、（Ｂ）に示すように表示装置１上のそれらの撮影映像を、座標(a,b)と座標(c,d)が眼の位置とした観察者２が観察すると、座標(a,b)に位置する眼には座標(g,i)の被写体像は見えるが座標(g,h)の被写体像は見えず、座標(c,d)に位置する眼には座標(g,h)の被写体像は見えるが座標(g,i)の被写体像は見えないように構成された立体映像表示装置である場合に、観察者２にはあたかも被写体が座標(e,f)に位置するがごとく見えることを示している。
【０００７】
但し、このときの観察者２の眼の焦点は被写体が映し出されている表示装置１上の例えば座標(g,i)や(g,h)の点にあり、座標(e,f)にはないが、眼の被写体を見る角度によって観察者２の脳にあたかも座標(e,f)にあるがごとく錯覚させている。このときの眼の視野角は、表示装置１の画面の大きさと観察者２から表示装置１までの距離、および観察者２の眼間距離によって決まる図１０に示した角度θとなる。
【０００８】
最初に示した撮影映像を表示装置に映し出す条件であるとすると、視野角が２つの動画撮影手段の画角となる。なお、表示装置よりも観察者に近い位置に被写体が存在するがごとく見える立体画像の被写体は、図１１に示す右上がりハッチングの領域に存在する場合に２つの動画撮影手段によって撮影され、表示装置にその被写体が映し出されることとなる。
【０００９】
一方で、図１２に示す右下がりハッチングの領域に存在する被写体は、２つの動画撮影手段の片方のみによって撮影された映像が表示装置に映す出されることとなる。立体映像は右目用映像を観察者の右目で観察し、同じ被写体の左目映像を観察者の左目で観察することで、その位置の差、つまり視差によって観察者は表示装置に映し出された被写体を表示装置の表示画面位置ではない表示装置の画面位置よりも手前や奥の位置にあるがごとく感じるものである。このため、被写体の左目映像と右目映像の両方が必要であって、これが片方の場合は立体映像として観察者が認識することはできなくなる。
【００１０】
つまり、図１２に示された右下がりのハッチングの領域に位置する△の被写体は、動画撮影手段からの距離が、○の被写体と同じ位置にあるが、表示装置に映し出された映像の観察者による観察では、○の被写体は表示装置よりも手前にあるがごとく認識するが、△の被写体は図１３（Ａ）、（Ｂ）に示すように左目映像がなく、右目映像だけが表示装置１に表示されるため、立体映像として認識することができずに、表示装置１の表示画面の位置にあるがごとく観察者２は認識することになる。このとき、観察者２の眼の焦点は○にも△にも合焦している。
【００１１】
△の被写体が○の被写体と関連のない被写体であれば、観察者２は違和感が少なく立体映像を楽しむことができる。このため、立体映画の撮影においては、特に手前に映す被写体の撮影では、この右上がりハッチングの領域からはみ出さないように注意して映像の撮影をすることになる。
【００１２】
一方で、ビデオカメラは一般家庭にも普及しているので、立体映像の撮影を手軽に行われることが予想される。しかし、一般の使用者は先の条件を理解して、厳重にその約束事を守る撮影を好まず、自由に撮影した映像を気軽に楽しみたいと願っている。また、ビデオ撮影のユーザーニーズの多くは被写体が子供の撮影であって、接近撮影の機会が多くなることも容易に予想される。このため、ビデオカメラが撮影できる範囲一杯に、更にはそれをはみ出す構図で子供の顔を撮影することは普通に行われている。
【００１３】
この構図を立体映像として表示装置に表示して観察すると、被写体の中心部に近い部分は撮影意図通りに手前にあるがごとく映し出され、その被写体と繋がった部分である周辺部は、表示装置の表示画面の位置にあるという実際の感覚とは異なる立体映像となってしまい、このことが原因で立体映像の長時間の観察においては観察者が疲労し易いという課題が従来の立体映像撮影装置にはあった。
【００１４】
本発明は以上の点に鑑みなされたもので、撮影できる範囲一杯に、更にはそれをはみ出す構図で撮影し、立体映像として表示装置に表示して観察したときの、被写体の中心部と周辺部との違和感を低減し、立体映像の長時間の観察においける観察者の疲労を軽減し得る立体映像撮影装置を提供することを目的とする。
【課題を解決するための手段】
【００１５】
上記目的を達成するため、本発明の立体映像撮影装置は、被写体をそれぞれ撮影して、立体映像信号を構成する左目用映像信号と右目用映像信号からなる第１の映像信号を出力する第１及び第２の動画撮影手段と、輻輳距離にある被写体の領域を共通の領域とする第１及び第２の動画撮影手段の撮影領域の画角を設定する画角設定手段と、画角設定手段により設定された画角と基線長と輻輳距離の情報を記憶し、画角情報と基線長情報と輻輳距離情報を出力する撮影情報記憶手段と、撮影情報記憶手段が記憶する基線長情報及び輻輳距離情報に基づいて、第１及び第２の動画撮影手段からの輻輳点を設定する輻輳点設定手段と、第１及び第２の動画撮影手段が出力する第１の映像信号から画角設定手段により設定された画角の撮影領域に関連する第２の映像信号を生成して出力する映像信号出力手段と、被写体までの距離を検出して被写体距離情報を出力する被写体距離検出手段と、撮影情報記憶手段が記憶する輻輳距離情報と被写体距離情報と画角情報と基線長情報とから、第１及び第２の動画撮影手段が被写体距離検出手段で検出された被写体距離では共通して撮影しない映像信号の非融像領域を算出する非融像領域算出手段と、第２の映像信号が入力され、その第２の映像信号のうち非融像領域算出手段により算出された非融像領域における映像信号部分の画質を低下させる変更処理を行う変更処理手段とを備えることを特徴とする。
【００１６】
ここで、上記の変更処理手段は、第２の映像信号の非融像領域の映像信号部分の所定周波数以上の高域周波数の除去処理、色度レベルの低下処理、輝度レベルの低下処理、及び信号レベルの低下処理のうちのいずれか一の処理を行うことを特徴とする。
【発明の効果】
【００１７】
本発明によれば、２つの動画撮影手段のうち一方の動画撮影手段にのみ映し出される被写体の一部が、表示装置の表示画面の位置に在るように見えてしまう不具合を低減することができ、長時間視聴での疲労を軽減することができる。
【図面の簡単な説明】
【００１８】
【図１】本発明の立体映像撮影装置の第１の実施の形態のブロック図である。
【図２】図１中の輻輳点設定手段による輻輳点の設定を説明する図である。
【図３】図１中の画角設定手段による画角の設定を説明する図である。
【図４】図１中の非融像領域算出手段が算出する非融像領域を示す図である。
【図５】本発明の立体映像撮影装置の第２の実施の形態の要部のブロック図である。
【図６】本発明の立体映像撮影装置の第３の実施の形態の要部のブロック図である。
【図７】本発明の立体映像撮影装置の第４の実施の形態の要部のブロック図である。
【図８】２つの動画撮影手段により被写体を撮影したときの位置関係の一例を示す図である。
【図９】２つの動画撮影手段により図８の位置関係にある被写体を撮影して被写体像を表示装置に表示するときの一例を示す図である。
【図１０】観察者の視野角の説明図である。
【図１１】表示装置よりも観察者に近い位置に被写体が存在するがごとく見える立体画像の被写体の存在領域を示す図である。
【図１２】２つの動画撮影手段により撮影される被写体のうち、一方の撮影手段により撮影された被写体像のみ表示される被写体が存在する非融像領域を説明する図である。
【図１３】２つの動画撮影手段により撮影される融像領域の被写体の被写体像と非融像領域の被写体像とを説明する図である。
【発明を実施するための形態】
【００１９】
次に、本発明の実施の形態について図面を参照して説明する。
【００２０】
（第１の実施の形態）
図１は、本発明になる立体映像撮影装置の第１の実施の形態のブロック図を示す。同図に示すように、本実施の形態の立体映像撮影装置１００は、人の左目と右目であるがごとくの位置と向きにて配置された２つの動画撮影手段１０１及び１０２と、カメラ制御部１０３と、非融像領域算出手段１０９と、変更処理手段１１０と、映像出力手段１１６とから構成される。
【００２１】
また、カメラ制御部１０３は、輻輳点設定手段１０４、被写体距離検出手段１０５、撮影情報記憶手段１０６、画角設定手段１０６及び映像信号出力手段１０７から構成されている。更に、変更処理手段１１０は、タイミング検出手段１１１、輝度／色度信号分離手段１１２、特性設定手段１１３、低域フィルタ（ＬＰＦ）１１４及び加算器１１５から構成されており、カメラ制御部１０３から出力される第２の映像信号のうち、非融像領域算出手段１０９により算出された非融像領域に相当する映像信号部分の画質を低下させる変更処理を行う。
【００２２】
２つの動画撮影手段１０１及び１０２は、それぞれ図２及び図３に示すように、撮像素子１１、１３と、レンズ１２、１４とを有し、それぞれの光軸が互いに平行で、主点が光軸方向に同じ位置に配置されている。動画撮影手段１０１は撮影できる領域の被写体を撮影した左目用映像信号を出力し、動画撮影手段１０２は撮影できる領域の上記被写体を撮影した右目用映像信号を出力する。これらの左目用映像信号及び右目用映像信号は立体映像信号を構成しており第１の映像信号として出力される。
【００２３】
輻輳点設定手段１０４は、撮影情報記憶手段１０６が記憶する基線長情報と輻輳距離情報に基づいて、図２に示すように撮像素子１１、１３の撮像領域Ｒ１、Ｒ２の中心をそれぞれ光軸中心から他のカメラがある方向とは逆の方向にシフトすることで輻輳点を設定する。なお、輻輳角は基線長と輻輳点までの被写体距離とに関連し、輻輳点に相当する撮像領域の位置は光軸に相当する撮像領域の中心位置と光学ユニットの光学特性とに関連する。これらは所定値でもユーザー設定による値でも構わない。図１に示すブロック図では、輻輳点設定手段１０４が設定する輻輳距離の入力条件や設定された輻輳点によって動画撮影手段１０１、１０２をどの様に操作するかについての機能ブロックを省略している。
【００２４】
被写体距離検出手段１０５は、被写体までの距離を検出し、被写体までの距離に関連した被写体距離情報を出力する。被写体の合焦もしくは距離検出において、撮影領域の中央部に近い被写体を重点的に検出する方法、もしくは重点的な検出点を多点として検出する方法などが適用可能である。また具体的には、動画撮影手段１０１、１０２のフォーカスレンズ位置から算出してもよいし、距離センサなどの出力から算出しても構わない。
【００２５】
撮影情報記憶手段１０６は、所定値もしくはユーザー設定による２つの動画撮影手段１０１及び１０２の光軸間隔に関連した値（基線長情報）を記憶する。また、基線長情報が変更できる構成である場合はその変更に伴ったデータを用い、その場合の撮像素子１１、１３の撮像領域Ｒ１、Ｒ２の中心位置の設定についても適宜設計的に設定しえるものとする。また撮影情報記憶手段１０６は、所定値もしくはユーザー設定による輻輳距離情報を記憶する。更に撮影情報記憶手段１０６は、画角設定手段１０７が出力する画角情報を記憶する。
【００２６】
画角設定手段１０７は、図３（Ａ）、（Ｂ）に示すように輻輳距離にある被写体の領域を共通の領域とする動画撮影手段１０１及び１０２の撮影領域の画角を設定する。また、画角設定手段１０７は、第１の映像信号の画角から第２の映像信号の画角に関連する画角情報を出力する。なお、画角と撮像領域の第２の映像信号の範囲との関係は光学ユニットの光学特性に関連する。
【００２７】
映像信号出力手段１０８は、画角設定手段１０７によって設定された画角の撮影領域に関連する第２の映像信号を出力する。なお、光学ユニットの光学特性と基線長と輻輳距離を所定値として、第１の映像信号を第２の映像信号と同じとすることは適宜行い得ることである。また光学ユニットの光学特性は、フォーカス調整で変わるものもあり、ズーム操作で変わるものであるため、その場合はフォーカスレンズ位置やズームレンズ位置の情報に基づいて、その特性に合致した演算によっても、データベースを備えてそれとの比較によって求めても構わない。
【００２８】
非融像領域算出手段１０９は、図１３に示すように画角と、基線長と、輻輳距離とによって定まる被写体が非融像となる可能性のある被写体位置の範囲（図１２の右下がりハッチングの領域）に対して、図４に示す撮影時に検出した被写体距離において左右それぞれの第２の映像信号のそれぞれの一部である非融像となる映像領域を、撮影情報記憶手段１０６が出力する画角情報と基線長情報と輻輳距離情報とによって算出する。
【００２９】
また、変更処理手段１１０は、以下説明するように映像信号出力手段１０８が出力する第２の映像信号の一部分である非融像領域算出手段１０９が算出した映像領域の映像信号の画質を低下させる変更処理（この実施の形態では高域周波数を除去する変更処理）を行う。すなわち、変更処理手段１１０内のタイミング検出手段１１１は、非融像領域算出手段１０９が算出した映像領域に基づいて、映信号出力手段１０８が出力する第２の映像信号の非融像領域のタイミングを検出する。
【００３０】
また、変更処理手段１１０内の輝度/色度信号分離手段１１２は、映像信号出力手段１０８が出力する第２の映像信号を輝度信号と色度信号とに分離し、輝度信号をＬＰＦ１１４に供給し、色度信号を加算器１１５に供給する。
【００３１】
また、変更処理手段１１０内の特性設定手段１１３は、タイミング検出手段１１１により検出された非融像領域のタイミングで、輝度/色度信号分離手段１１２により分離された第２の映像信号中の輝度信号が入力されるＬＰＦ１１４の特性を設定する。このときに、例えば設定する特性はカットオフ周波数であり、第２の映像信号が非融像領域ではない領域の場合はＬＰＦ１１４のカットオフ周波数は高い値に設定し、非融像領域の場合はカットオフ周波数を低い値に設定する。更に、特性設定手段１１３は、非融像領域ではない領域の境界付近から非融像領域にかけて徐々に低い値にカットオフ周波数を設定するなどは適宜設定するものとする。
【００３２】
ＬＰＦ１１４は、入力される輝度信号に対して特性設定手段１１３により設定されたカットオフ周波数により高域をカットする。このＬＰＦ１１４が出力する高域がカットされた輝度信号部分は映像に暈けがかかった効果がある。すなわち、ＬＰＦ１１４は、非融像領域の輝度信号部分を、融像領域の輝度信号部分に比べてはっきりしない暈けがかかった映像の輝度信号として出力する。
【００３３】
そして、変更処理手段１１０内の加算器１１５は、ＬＰＦ１１４から出力される高域がカットされた輝度信号と、輝度/色度信号分離手段１１２で分離された色度信号とを加算し、その加算後の映像信号を映像出力手段１１６に供給する。映像出力手段１１６は、入力映像信号をサイドバイサイドやトップアンドボトム、フレーム時分割など所定の立体映像信号に処理し、出力する。
【００３４】
なお、図１には動画撮影手段１０１及び１０２以外は１系統の信号処理ブロックのみ示しているが、左右映像を１系統で処理する回路に限定したものではなく、左右それぞれの映像信号を別々のブロックでその一部もしくは全部を構成することも含まれる。
【００３５】
ここで、前述したように、図５の右下がりハッチングの領域に被写体がある場合に、２つの動画撮影手段１０１及び１０２のうち、一方の動画撮影手段には映し出されるが他方の動画撮影手段には映らない。この被写体が２つの動画撮影手段１０１及び１０２に映し出される領域にいる被写体の一部である場合に立体映像の視聴者は、２つの動画撮影手段１０１及び１０２に映し出される被写体の部分は手前に飛び出した様に見え、その外側になる一方の動画撮影手段１０１にのみ映し出される被写体の他の一部は、表示装置の表示画面の位置に在るように見えてしまう。これは立体映像の視聴における疲労に繋がり、長時間の視聴を妨げる課題となっている。一方で、近距離に被写体が存在する場合は、視聴者の意識は近距離の被写体に向くため遠方にある様に見える被写体には意識が向きにくい傾向がある。また、焦点がボケたようなはっきりしない映像も融像しにくいことが知られている。
【００３６】
そこで、本実施の形態の立体映像撮影装置１００によれば、２つの動画撮影手段１０１及び１０２のうち、一方の動画撮影手段のみに映り、かつ、近距離の被写体像をＬＰＦ１１４による高域周波数除去処理により焦点がぼけたようなはっきりしない映像に変更処理することで、一方の動画撮影手段にのみ映し出される被写体の他の一部が、表示装置の表示画面の位置に在るように見えてしまう不具合を低減することができる。すなわち、撮影できる範囲一杯に、更にはそれをはみ出す構図で撮影し、立体映像として表示装置に表示して観察したときの、被写体の中心部と周辺部との違和感を低減することができる。これにより、本実施の形態の立体映像撮影装置１００によれば、立体映像の長時間の観察においける観察者の疲労を軽減することができる。
【００３７】
（第２の実施の形態）
次に、本発明になる立体映像撮影装置の第２の実施の形態について説明する。図５は、本発明になる立体映像撮影装置の第２の実施の形態の要部のブロック図を示す。同図中、図１と同一構成部分には同一符号を付し、その説明を省略する。
【００３８】
本実施の形態の立体映像撮影装置は、図１に示した変更処理手段１１０に代えて図５に示す変更処理手段１１０ｂを用いるようにしたものである。図５において、変更処理手段１１０ｂは、タイミング検出手段１１１と、輝度／色度信号分離手段１１２と、ゲイン設定手段１２０と、増幅手段１２１と、加算器１２２とから構成される。
【００３９】
増幅手段１２１はそのゲイン（利得）がゲイン設定手段１２０からのゲイン制御信号により可変制御される構成である。一方、ゲイン設定手段１２０は、タイミング検出手段１１１により検出された非融像領域のタイミングで、増幅手段１２１のゲインを低下させるゲイン制御信号を出力する。これにより、増幅手段１２１は、輝度／色度信号分離手段１１２により分離された第２の映像信号中の輝度信号に対して、非融像領域の輝度信号部分を、融像領域の輝度信号部分に比べてレベルを低下する増幅動作を行い、その増幅後の輝度信号を出力する。
【００４０】
加算器１２２は、増幅手段１２１からの輝度信号と輝度／色度信号分離手段１１２により分離された第２の映像信号中の色度信号とを加算し、加算後の映像信号を図１の画像出力手段１１６へ出力する。
【００４１】
ここで、近距離に被写体が存在する場合は、視聴者の意識は近距離の被写体に向くため遠方にある様に見える被写体には意識が向きにくい傾向がある。また、輝度が低下したようなはっきりしない映像も融像しにくいことが知られている。
【００４２】
従って、本実施の形態の立体映像撮影装置のように、２つの動画撮影手段１０１及び１０２のうち、一方の動画撮影手段のみに映り、かつ、近距離の被写体像を輝度レベルが低下したはっきりしない映像に変更処理することで、一方の動画撮影手段にのみ映し出される被写体の他の一部が、表示装置の表示画面の位置に在るように見えてしまう不具合を低減することができ、これにより長時間視聴での疲労を低減することができる。
【００４３】
（第３の実施の形態）
次に、本発明になる立体映像撮影装置の第３の実施の形態について説明する。図６は、本発明になる立体映像撮影装置の第３の実施の形態の要部のブロック図を示す。同図中、図１と同一構成部分には同一符号を付し、その説明を省略する。
【００４４】
本実施の形態の立体映像撮影装置は、図１に示した変更処理手段１１０に代えて図６に示す変更処理手段１１０ｃを用いるようにしたものである。図６において、変更処理手段１１０ｃは、タイミング検出手段１１１と、輝度／色度信号分離手段１１２と、ゲイン設定手段１２０と、増幅手段１２３と、加算器１２４とから構成される。
【００４５】
増幅手段１２３はそのゲイン（利得）がゲイン設定手段１２０からのゲイン制御信号により可変制御される構成であるが、その入力信号が色度信号である点で第２の実施の形態と異なる。一方、ゲイン設定手段１２０は、タイミング検出手段１１１により検出された非融像領域のタイミングで、増幅手段１２１のゲインを低下させるゲイン制御信号を出力する。これにより、増幅手段１２３は、輝度／色度信号分離手段１１２により分離された第２の映像信号中の色度信号に対して、非融像領域の色度信号部分を、融像領域の色度信号部分に比べてレベルを低下する増幅動作を行い、その増幅後の色度信号を出力する。
【００４６】
加算器１２４は、増幅手段１２３からの色度信号と輝度／色度信号分離手段１１２により分離された第２の映像信号中の輝度信号とを加算し、加算後の映像信号を図１の画像出力手段１１６へ出力する。
【００４７】
ここで、近距離に被写体が存在する場合は、視聴者の意識は近距離の被写体に向くため遠方にある様に見える被写体には意識が向きにくい傾向がある。また、色度レベルが低下したようなはっきりしない映像も融像しにくいことが知られている。
【００４８】
従って、本実施の形態の立体映像撮影装置のように、２つの動画撮影手段１０１及び１０２のうち、一方の動画撮影手段のみに映り、かつ、近距離の被写体像を色度レベルが低下したはっきりしない映像に変更処理することで、一方の動画撮影手段にのみ映し出される被写体の他の一部が、表示装置の表示画面の位置に在るように見えてしまう不具合を低減することができ、これにより長時間視聴での疲労を低減することができる。
【００４９】
（第４の実施の形態）
次に、本発明になる立体映像撮影装置の第４の実施の形態について説明する。図７は、本発明になる立体映像撮影装置の第４の実施の形態の要部のブロック図を示す。同図中、図１と同一構成部分には同一符号を付し、その説明を省略する。
【００５０】
本実施の形態の立体映像撮影装置は、図１に示した変更処理手段１１０に代えて図７に示す変更処理手段１１０ｄを用いるようにしたものである。図７において、変更処理手段１１０ｄは、領域分離手段１２５と、ゲイン設定手段１２６と、画像処理手段１２７と、加算器１２８とから構成される。
【００５１】
領域分離手段１２５は、図１に示した非融像領域算出手段１０９が算出した非融像領域に基づいて、供給される第２の映像信号を非融像領域ではない領域の映像信号部分と非融像領域の映像信号部分とに分離する。
【００５２】
ゲイン設定手段１２６は、画像処理手段１２７に対して所定値のゲインを設定する。画像処理手段１２７は、領域分離手段１２５から出力された非融像領域の映像信号部分を入力信号として受け、その入力信号に対してゲイン設定手段１２６により設定された所定値のゲインに基づき、レベル低下などのはっきりしない映像となるような変更処理を行う。
【００５３】
加算器１２８は、画像処理手段１２７により画像処理された非融像領域の映像信号と、領域分離手段１２５により分離された融像領域の映像信号部分とを加算して変更処理後の映像信号を生成し、図１に示した画像出力手段１１６へ出力する。
【００５４】
本実施の形態の立体映像撮影装置によれば、２つの動画撮影手段１０１及び１０２のうち、一方の動画撮影手段のみに映り、かつ、近距離の被写体像をはっきりしない映像に変更処理することで、一方の動画撮影手段にのみ映し出される被写体の他の一部が、表示装置の表示画面の位置に在るように見えてしまう不具合を低減することができ、これにより長時間視聴での疲労を低減することができる。
【符号の説明】
【００５５】
１００  立体映像撮影装置
１０１、１０２  動画撮影手段
１０３  カメラ制御部
１０４  輻輳点設定手段
１０５  被写体距離検出手段
１０６  撮影情報記憶手段
１０７  画角設定手段
１０８  映像信号出力手段
１０９  非融像領域算出手段
１１０、１１０ｂ、１１０ｃ、１１０ｄ  変更処理手段
１１１  タイミング検出手段
１１２  輝度／色度信号分離手段
１１３  特性設定手段
１１４  低域フィルタ（ＬＰＦ）
１１５、１２２、１２４、１２８  加算器
１１６  画像出力手段
１２０、１２６  ゲイン設定手段
１２１、１２３  増幅手段
１２５  領域分離手段
１２７  画像処理手段
【図１】
2012114680.tif 000003
【図２】
2012114680.tif 000004
【図３】
2012114680.tif 000005
【図４】
2012114680.tif 000006
【図５】
2012114680.tif 000007
【図６】
2012114680.tif 000008
【図７】
2012114680.tif 000009
【図８】
2012114680.tif 000010
【図９】
2012114680.tif 000011
【図１０】
2012114680.tif 000012
【図１１】
2012114680.tif 000013
【図１２】
2012114680.tif 000014
【図１３】
2012114680.tif 000015